(57)【要約】【課題】取付けが容易であると共に、低コストで高い信頼性の下に壁との間の水密性を保つことができるリモートコントローラを提供すること。【解決手段】被取付け面（壁面）ＷＳに取り付けられて操作対象の電子機器に有線接続されるリモートコントローラ本体１０と、配線を通すための孔１３ａを有し、被取付け面とリモートコントローラ本体との間に配置されて被取付け面とリモートコントローラ本体との間を水密に保つ弾性材料製のパッキン１３とを備えたリモートコントローラ３０Ａを構成するにあたり、上記のパッキンのシール面に上記の孔を取り囲む形状の非粘着領域が残るようにして、パッキンとリモートコントローラ本体との間およびパッキンと被取付け面との間の少なくとも一方に粘着材２１，２２を設ける。【選択図】        図３
2010148069.tif 000002
【特許請求の範囲】
【請求項１】
被取付け面に取り付けられて操作対象の電子機器に有線接続されるリモートコントローラ本体と、
配線を通すための孔を有し、前記被取付け面と前記リモートコントローラ本体との間に配置されて前記被取付け面と前記リモートコントローラ本体との間を水密に保つ弾性材料製のパッキンと、
該パッキンと前記リモートコントローラ本体との間および前記パッキンと前記被取付け面との間の少なくとも一方に介在して、前記パッキンを接合対象に接合させる粘着材と、
を備え、
前記粘着材は、前記パッキンのシール面に前記孔を取り囲む形状の非粘着領域が残るようにして設けられることを特徴とするリモートコントローラ。
【請求項２】
前記粘着材は、前記パッキンと前記リモートコントローラ本体との間、および前記パッキンと前記被取付け面との間の各々に設けられることを特徴とする請求項１に記載のリモートコントローラ。
【請求項３】
被取付け面に取り付けられて操作対象の電子機器に有線接続されるリモートコントローラ本体と、
配線を通すための孔を有し、前記被取付け面と前記リモートコントローラ本体との間に配置されて前記被取付け面と前記リモートコントローラ本体との間を水密に保つ弾性材料製の内側パッキンと、
前記内側パッキンよりも高い弾発性と薄い肉厚とを有し、前記内側パッキンを取り囲むように配置されて前記被取付け面と前記リモートコントローラ本体との間を水密に保つ外側パッキンと、
前記内側パッキンおよび前記外側パッキンの各々と前記リモートコントローラ本体との間、ならびに前記内側パッキンおよび前記外側パッキンの各々と前記被取付け面との間の少なくとも一方に介在して、前記内側パッキンおよび前記外側パッキンの各々を接合対象に接合させる粘着材と、
を備え、
前記粘着材は、前記内側パッキンのシール面に前記孔を取り囲む形状の非粘着領域が残るようにして設けられることを特徴とするリモートコントローラ。
【請求項４】
前記粘着材は、前記内側パッキンでの前記リモートコントローラ本体側および前記被取付け面側のいずれか一方のシール面全体が前記非粘着領域となるようにして設けられることを特徴とする請求項３に記載のリモートコントローラ。
【請求項５】
被取付け面に取り付けられて操作対象の電子機器に有線接続されるリモートコントローラ本体と、
配線を通すための孔を有し、前記被取付け面と前記リモートコントローラ本体との間に配置されて前記被取付け面と前記リモートコントローラ本体との間を水密に保つ弾性材料製の内側パッキンと、
前記内側パッキンよりも高い弾発性と薄い肉厚とを有し、前記内側パッキンを取り囲むように配置されて前記被取付け面と前記リモートコントローラ本体との間を水密に保つ外側パッキンと、
前記内側パッキンおよび前記外側パッキンの各々と前記リモートコントローラ本体との間、ならびに前記内側パッキンおよび前記外側パッキンの各々と前記被取付け面との間の少なくとも一方に介在して、前記内側パッキンおよび前記外側パッキンの各々を接合対象に接合させる粘着材と、
を備え、
前記粘着材は、前記外側パッキンのシール面に前記孔を取り囲む形状の非粘着領域が残るようにして設けられることを特徴とするリモートコントローラ。
【請求項６】
前記粘着材は、前記外側パッキンでの前記リモートコントローラ本体側および前記被取付け面側の各シール面に、粘着領域と前記非粘着領域とが残るようにして設けられることを特徴とする請求項５に記載のリモートコントローラ。
【発明の詳細な説明】
【技術分野】
【０００１】
本発明は、壁面等の被取付け面に取り付けられて操作対象の電子機器に有線接続されるリモートコントローラに関し、特に、被取付け面との間への水の侵入をパッキンにより防止するリモートコントローラに関するものである。
【背景技術】
【０００２】
例えば、浴室の壁面に取り付けられて給湯機本体に有線接続される風呂給湯用のリモートコントローラでは、通常、該リモートコントローラと給湯機本体とを結ぶ信号線が建物の壁の内側に通され、該信号線とリモートコントローラとは、リモートコントローラの裏面から引き出した通信用リード線を壁の内側で信号線に接続することで結線される。通信用リード線と信号線との接続部に水が侵入すると、給湯機本体やリモートコントローラに誤作動や故障等の不具合が生じることがあるので、上記のリモートコントローラと浴室の壁面との間には、水の侵入を防止するパッキンが設けられる。
【０００３】
例えば特許文献１には、リモートコントローラの裏面の略全体を覆うパッキンを当該リモートコントローラと浴室の壁面との間に設けたリモートコントローラの防水構造が記載されている。リモートコントローラは、浴室の壁面との間に上記のパッキンを設けた状態で浴室の壁面に取付けネジで固定される。
【０００４】
【特許文献１】特開２０００−１２４６３２号公報（図１）
【発明の開示】
【発明が解決しようとする課題】
【０００５】
壁面との間にパッキンを介在させてリモートコントローラを壁面に取り付ける場合、パッキンでの少なくとも片面に仮固定用の粘着材を設け、該粘着材でパッキンをリモートコントローラまたは壁面に仮固定した後にリモートコントローラを壁面に本固定するようにすると、リモートコントローラの取付け作業が容易になる。
【０００６】
ただし、吸湿性を有する粘着材をパッキンでのリモートコントローラ本体側または壁面側のシール面全体に設けると、リモートコントローラの設置後に粘着材が徐々に吸湿性して、リモートコントローラと壁面との間の水密性が低下する。勿論、吸湿性のない粘着材を用いれば、リモートコントローラと壁面との間の水密性の低下を防止することができるが、このような粘着材は高価であるので、水密性を保つうえでのコストが増大する。
【０００７】
本発明は上記の事情に鑑みてなされたものであり、取付けが容易であると共に、低コストで高い信頼性の下に被取付け面との間の水密性を保つことができるリモートコントローラを提供することを目的とする。
【課題を解決するための手段】
【０００８】
本発明のリモートコントローラは、被取付け面に取り付けられて操作対象の電子機器に有線接続されるリモートコントローラ本体と、配線を通すための孔を有し、被取付け面とリモートコントローラ本体との間に配置されて被取付け面とリモートコントローラ本体との間を水密に保つ弾性材料製のパッキンと、パッキンとリモートコントローラ本体との間およびパッキンと被取付け面との間の少なくとも一方に介在して、前記パッキンを接合対象に接合させる粘着材とを備え、粘着材は、パッキンのシール面に上記の孔を取り囲む形状の非粘着領域が残るようにして設けられるものである。
【０００９】
本発明の他のリモートコントローラは、被取付け面に取り付けられて操作対象の電子機器に有線接続されるリモートコントローラ本体と、配線を通すための孔を有し、被取付け面とリモートコントローラ本体との間に配置されて被取付け面とリモートコントローラ本体との間を水密に保つ弾性材料製の内側パッキンと、内側パッキンよりも高い弾発性と薄い肉厚とを有し、内側パッキンを取り囲むように配置されて被取付け面とリモートコントローラ本体との間を水密に保つ外側パッキンと、内側パッキンおよび外側パッキンの各々とリモートコントローラ本体との間、ならびに内側パッキンおよび外側パッキンの各々と被取付け面との間の少なくとも一方に介在して、内側パッキンおよび外側パッキンの各々を接合対象に接合させる粘着材とを備え、粘着材は、内側パッキンのシール面に上記の孔を取り囲む形状の非粘着領域が残るようにして設けられるものである。
【００１０】
本発明の更に他のリモートコントローラは、被取付け面に取り付けられて操作対象の電子機器に有線接続されるリモートコントローラ本体と、配線を通すための孔を有し、被取付け面とリモートコントローラ本体との間に配置されて被取付け面とリモートコントローラ本体との間を水密に保つ弾性材料製の内側パッキンと、内側パッキンよりも高い弾発性と薄い肉厚とを有し、内側パッキンを取り囲むように配置されて被取付け面とリモートコントローラ本体との間を水密に保つ外側パッキンと、内側パッキンおよび外側パッキンの各々とリモートコントローラ本体との間、ならびに内側パッキンおよび外側パッキンの各々と被取付け面との間の少なくとも一方に介在して、内側パッキンおよび外側パッキンの各々を接合対象に接合させる粘着材とを備え、粘着材は、外側パッキンのシール面に上記の孔を取り囲む形状の非粘着領域が残るようにして設けられるものである。
【発明の効果】
【００１１】
本発明のリモートコントローラでは、パッキンとリモートコントローラ本体との間またはパッキンと被取付け面との間に粘着材が設けられるので、パッキンをリモートコントローラ本体または被取付け面に仮固定した後にリモートコントローラ本体を被取付け面に本固定することができ、取付けが容易である。また、パッキンのシール面に所定形状の非粘着領域が残るようにして粘着材が設けられるので、吸水性を有する安価な粘着材を用いた場合でも、該粘着材を介して水が侵入してしまうのを上記の非粘着領域によって防止することができる。したがって、本発明によれば、取付けが容易であると共に、低コストで高い信頼性の下に被取付け面との間の水密性を保つことができるリモートコントローラを提供可能になる。
【発明を実施するための最良の形態】
【００１２】
以下、本発明のリモートコントローラの実施の形態について、図面を参照して詳細に説明する。なお、本発明は以下に説明する実施の形態に限定されるものではない。
【００１３】
実施の形態１．
図１は本発明のリモートコントローラの一例を概略的に示す分解斜視図であり、図２は、図１に示したリモートコントローラを概略的に示す裏面図である。これらの図に示すリモートコントローラ３０Ａは、浴槽へ給湯することができる給湯機本体（図示せず）を操作するために浴室の壁面（図示せず）に取り付けられるものであり、リモートコントローラ本体１０、パッキン１３、第１粘着材２１、および第２粘着材２２を備えている。なお、図１および図２においては、各粘着材２１，２２にスマッジングを付してある。
【００１４】
図１に示すように、上記のリモートコントローラ本体１０は、複数個の入力スイッチを用いて構成されて給湯機本体への指令や情報の入力に用いられる入力部１、入力部１から指令や情報が入力されたときに所定の視覚表示を行う表示部２、および入力部１から所定の指令や情報が入力されたとき、あるいは給湯機本体から所定の情報が送られてきたときに音やメッセージを再生するスピーカ部３等を備えている。
【００１５】
図２に示すように、リモートコントローラ本体１０の裏面には、当該リモートコントローラ本体１０を被取付け面（本実施の形態１では浴室の壁面）に取付けネジ（図示せず）で本固定するための２つのネジ穴ＴＢ1，ＴＢ2が設けられている。また、リモートコントローラ本体１０の裏面中央部にはリード線引出し部５が設けられており、リモートコントローラ本体１０と給湯機本体とを有線接続するための２本の通信用リード線５ａ，５ｂが当該リード線引出し部５からリモートコントローラ本体１０の外部に引き出されている。
【００１６】
パッキン１３は、リモートコントローラ本体１０と浴室の壁面との間を水密に保つために、リモートコントローラ本体１０と浴室の壁面との間に配置される。このパッキン１３は、樹脂系発泡材等の弾性材料で作製された平板状を呈し、その中央部には配線を通すための孔、すなわち各通信用リード線５ａ，５ｂを通すための孔１３ａが設けられている。
【００１７】
第１粘着材２１（図１参照）は、パッキン１３とリモートコントローラ本体１０との間に介在して、リモートコントローラ３０Ａの取付け時（仮固定時）にパッキン１３を接合対象のリモートコントローラ本体１０に接合させるものであり、当該第１粘着材２１が接しない非粘着領域ＮＡ1がパッキン１３でのリモートコントローラ本体側のシール面に残るようにして、パッキン１３とリモートコントローラ本体１０との間に設けられる。このとき、非粘着領域ＮＡ1の形状は、パッキン１３に設けられている孔１３ａを取り囲む形状に選定される。図示の例では、パッキン１３でのリモートコントローラ本体側のシール面に第１粘着材２１が矩形枠状に設けられ、その内側（シール面の面内方向内側）に非粘着領域ＮＡ1が形成されている。
【００１８】
第２粘着材２２（図２参照）は、パッキン１３と浴室の壁面との間に介在して、リモートコントローラ３０Ａの取付け時（仮固定時）にパッキン１３を接合対象の壁面（浴室の壁面）に接合させるものであり、当該第２粘着材２２が接しない非粘着領域ＮＡ2がパッキン１３での浴室の壁面側のシール面に残るようにして、パッキン１３と浴室の壁面との間に設けられる。このとき、非粘着領域ＮＡ2の形状は、上記の孔１３ａを取り囲む形状に選定される。図示の例では、パッキン１３での浴室の壁面側のシール面に第２粘着材２２が矩形枠状に設けられ、その内側（シール面の面内方向内側）に非粘着領域ＮＡ2が形成されている。
【００１９】
なお、各粘着材２１，２２は、例えば、所望箇所に液状ないしゲル状の粘着材を塗工することにより設けることもできるし、両面に粘着剤層が形成された粘着シートを所望箇所に貼付することにより設けることもできる。図１および図２においては、各非粘着領域ＮＡ1，ＮＡ2にスマッジングを付してある。
【００２０】
図３は、図１および図２に示したリモートコントローラの壁面取付け状態を概略的に示す一部切欠き断面図である。同図に示すように、リモートコントローラ３０Ａが取り付けられる浴室の壁ＢＷには、リモートコントローラ３０Ａと給湯機本体（図示せず）とを有線接続するための孔Ｈが設けられており、孔Ｈは壁ＢＷよりも内側の空間に連通している。そして、壁ＢＷよりも内側の空間には、リモートコントローラ３０Ａと給湯機本体とを有線接続するための信号線（図示せず）が通されている。なお、孔Ｈの口径は、パッキン１３に設けられている孔１３ａの口径よりも小さい。
【００２１】
壁ＢＷの壁面ＷＳへのリモートコントローラ３０Ａの取付けは、例えば次のようにして行われる。まず、各通信用リード線５ａ，５ｂをパッキン１３の孔１３ａに通し、これらのリード線５ａ，５ｂと上記の壁ＢＷの孔Ｈから引き出した信号線の端とを結線し、各リード線５ａ，５ｂと上記の信号線の端とを孔Ｈから壁ＢＷの内側の空間に入れる。次いで、パッキン１３の孔１３ａと壁ＢＷの孔Ｈとを位置合わせしながらパッキン１３を第２粘着材２２により壁面ＷＳに仮固定し、リモートコントローラ本体１０を第２粘着材２２でパッキン１３に仮固定する。
【００２２】
この後、当該リモートコントローラ本体１０を壁面ＷＳに本固定する。リモートコントローラ本体１０は、制御基板（図示せず）等が搭載された背面基板１０ａと、該背面基板１０ａに装着されて上記の制御基板等を保護する箱状のケーシング部１０ｂとを有しており、背面基板１０ａを２本の取付けネジ７ａ，７ｂで壁面ＷＳに固定してからケーシング部１０ｂを背面基板１０ａに装着することで壁面ＷＳに本固定する。このとき、パッキン１３がその厚さ方向に弾性変形するようにリモートコントローラ本体１０を壁面ＷＳ側に強く押圧して、非粘着領域ＮＡ1（図１参照）をリモートコントローラ本体１０に密着させると共に非粘着領域ＮＡ2（図２参照）を壁面ＷＳに密着させる。
【００２３】
上述のようにして壁面ＷＳに取り付けられるリモートコントローラ３０Ａでは、パッキン１３およびリモートコントローラ本体１０を仮固定した後にリモートコントローラ本体１０を壁面ＷＳに本固定することができるので、取付け時の作業性が良好である。また、本固定時に非粘着領域ＮＡ1（図１参照）がリモートコントローラ本体１０に密着すると共に非粘着領域ＮＡ2（図２参照）が壁面ＷＳに密着するので、仮に各粘着材２１，２２として吸湿性を有する安価なものを用いたとしても、リモートコントローラ３０Ａと壁面ＷＳとの間の水密性を高い信頼性の下に保つことが可能になる。
【００２４】
すなわち、上述のようにしてリモートコントローラ本体１０を本固定すると、仮に第１粘着材２１が吸湿しても、上記の非粘着領域ＮＡ1がリモートコントローラ本体１０に密着していることから、パッキン１３とリモートコントローラ本体１０との間の水密性が高い信頼性の下に保たれる。同様に、仮に第２粘着材２２が吸湿しても、上記の非粘着領域ＮＡ2が壁面ＷＳに密着していることから、パッキン１３と壁面ＷＳとの間の水密性が高い信頼性の下に保たれる。これらの結果として、仮に各粘着材２１，２２として吸湿性を有する安価なものを用いたとしても、リモートコントローラ３０Ａと壁面ＷＳとの間の水密性を高い信頼性の下に保つことができる。
【００２５】
したがって、たとえシャワー等で飛散した水がリモートコントローラ３０Ａに掛かっても、各通信用リード線５ａ，５ｂと前述の信号線との接続部にまで水が侵入してしまうことが各非粘着領域ＮＡ1，ＮＡ2により長期に亘って防止され、上記の接続部に水が侵入することに起因する誤作動や故障等の不具合の発生が抑えられる。粘着材の使用量が抑えられるので、原材料の減量化にもつながる。
【００２６】
実施の形態２．
図４は本発明のリモートコントローラの他の例を概略的に示す分解斜視図であり、図５は、図４に示したリモートコントローラを概略的に示す裏面図である。これらの図に示すリモートコントローラ３０Ｂは、実施の形態１で説明したリモートコントローラ３０Ａ（図１〜図３参照）と同様に、浴槽へ給湯することができる給湯機本体（図示せず）を操作するために浴室の壁面（図示せず）に取り付けられるものであり、リモートコントローラ本体１０、内側パッキン１５、外側パッキン１７、内側パッキン用粘着材２５、外側パッキン用第１粘着材２７、および外側パッキン用第２粘着材２８を備えている。
【００２７】
なお、リモートコントローラ３０Ｂでのリモートコントローラ本体１０の構成は、実施の形態１で説明したリモートコントローラ３０Ａでのリモートコントローラ本体１０の構成と同じであるので、当該リモートコントローラ本体１０およびその構成要素には図１または図２で用いた参照符号と同じ参照符号を付して、その説明を省略する。図４および図５においては、各粘着材２５，２７，２８にスマッジングを付してある。
【００２８】
上記の内側パッキン１５は、リモートコントローラ本体１０と被取付け面（浴室の壁面）との間を水密に保つために、リモートコントローラ本体１０と浴室の壁面との間に配置される。この内側パッキン１５は、外側パッキン１７よりも柔らかく、かつ外側パッキン１７よりも低弾発性の弾性材料で作製された円柱状を呈し、その中央部には配線を通すための孔、すなわち各通信用リード線５ａ，５ｂを通すための孔１５ａが設けられている。
【００２９】
外側パッキン１７も、リモートコントローラ本体１０と浴室の壁面との間を水密に保つために、リモートコントローラ本体１０と浴室の壁面との間に配置される。ただし、外側パッキン１７は、内側パッキン１５より面内方向（リモートコントローラ本体１０の裏面での面内方向）外側に配置される。当該外側パッキン１７は、内側パッキン１５よりも硬く、かつ内側パッキン１５よりも厚み変化に対する反発力が強い高弾発性の弾性材料で作製された枠形状を呈し、その肉厚は内側パッキン１５の肉厚よりも薄い。
【００３０】
内側パッキン用粘着材２５（図４参照）は、内側パッキン１５とリモートコントローラ本体１０との間に介在して、リモートコントローラ３０Ｂの取付け時（仮固定時）に内側パッキン１５を接合対象のリモートコントローラ本体１０に接合させるものであり、当該内側パッキン用粘着材２５が接しない非粘着領域ＮＡ5が内側パッキン１５でのリモートコントローラ本体側のシール面に残るようにして、内側パッキン１５とリモートコントローラ本体１０との間に設けられる。このとき、非粘着領域ＮＡ5の形状は、内側パッキン１５に設けられている孔１５ａを取り囲む形状に選定される。図示の例では、内側パッキン１５でのリモートコントローラ本体側のシール面に内側パッキン用粘着材２５が環状に設けられ、その外側（シール面の面内方向外側）に非粘着領域ＮＡ5が環状に形成されている。図４においては、非粘着領域ＮＡ5にスマッジングを付してある。
【００３１】
外側パッキン用第１粘着材２７（図４参照）は、外側パッキン１７とリモートコントローラ本体１０との間に介在して、リモートコントローラ３０Ｂの取付け時（仮固定時）に外側パッキン１７を接合対象のリモートコントローラ本体１０に接合させるものであり、図示の例では、外側パッキン１７でのリモートコントローラ本体側のシール面全体に外側パッキン用第１粘着材２７が設けられている。
【００３２】
外側パッキン用第２粘着材２８（図５参照）は、外側パッキン１７と浴室の壁面との間に介在して、リモートコントローラ３０Ｂの取付け時（仮固定時）に外側パッキン１７を接合対象の壁面（浴室の壁面）に接合させるものであり、図示の例では、外側パッキン１７での浴室の壁面側のシール面全体に外側パッキン用第２粘着材２８が設けられている。
【００３３】
なお、図５に示すように、内側パッキン１５と浴室の壁面との間には粘着材が設けられない。内側パッキン１５での浴室の壁面側のシール面は、その全体が非粘着領域ＮＡ6となっている。図４および図５においては、各非粘着領域ＮＡ5，ＮＡ6にスマッジングを付してある。各粘着材２５，２７，２８は、例えば所望箇所に液状ないしゲル状の粘着材を塗工することにより設けることもできるし、両面に粘着剤層が形成された粘着シートを所望箇所に貼付することにより設けることもできる。
【００３４】
図６は、図４および図５に示したリモートコントローラの壁面取付け状態を概略的に示す一部切欠き断面図である。図６に示した各構成要素は、図３、図４、または図５を参照して既に説明しているので、これらの構成要素については図３、図４、または図５で用いた参照符号と同じ参照符号を付してその説明を省略する。
【００３５】
リモートコントローラ３０Ｂと給湯機本体とを有線接続するための信号線（図示せず）が浴室の壁ＢＷよりも内側の空間に通されていることから、壁ＢＷの壁面ＷＳへのリモートコントローラ３０Ａの取付けは、例えば次のようにして行われる。まず、各通信用リード線５ａ，５ｂを内側パッキン１５の孔１５ａに通し、これらのリード線５ａ，５ｂと上記の壁ＢＷの孔Ｈから引き出した信号線の端とを結線して、各リード線５ａ，５ｂと上記の信号線の端とを孔Ｈから壁ＢＷの内側の空間に入れる。次いで、内側パッキン１５を内側パッキン用粘着材２５でリモートコントローラ本体１０に仮固定する一方で、外側パッキン１７を外側パッキン用第２粘着材２８で壁面ＷＳに仮固定し、内側パッキン１５の孔１５ａと壁ＢＷの孔Ｈとを位置合わせしながらリモートコントローラ本体１０を外側パッキン用第１粘着材２７で外側パッキン１７に仮固定する。
【００３６】
この後、当該リモートコントローラ本体１０を壁面ＷＳに本固定する。リモートコントローラ本体１０の本固定は、実施の形態１で既に説明したように、背面基板１０ａを２本の取付けネジ７ａ，７ｂで壁面ＷＳに固定してからケーシング部１０ｂを背面基板１０ａに装着することで行う。このとき、外側パッキン１７がその厚さ方向に弾性変形するようにリモートコントローラ本体１０を壁面ＷＳ側に強く押圧して内側パッキン１５も大きく弾性変形させ、前述した非粘着領域ＮＡ5（図４参照）をリモートコントローラ本体１０に密着させると共に非粘着領域ＮＡ6（図５参照）を壁面ＷＳに密着させる。
【００３７】
上述のようにして取り付けられるリモートコントローラ３０Ｂでは、内側パッキン１５および外側パッキン１７の各々をリモートコントローラ本体１０または壁面ＷＳに仮固定した後にリモートコントローラ本体１０を壁面ＷＳに本固定することができるので、取付け時の作業性が良好である。また、本固定時に非粘着領域ＮＡ5がリモートコントローラ本体１０に密着すると共に非粘着領域ＮＡ6が壁面ＷＳに密着するので、仮に各粘着材２５，２７，２８として吸湿性を有する安価なものを用いたとしても、リモートコントローラ３０Ｂと壁面ＷＳとの間の水密性を高い信頼性の下に保つことが可能になる。
【００３８】
すなわち、上述のようにしてリモートコントローラ本体１０を壁面ＷＳに本固定すると、仮に外側パッキン用第１粘着材２７が吸湿しても、非粘着領域ＮＡ5（図４参照）がリモートコントローラ本体１０に密着していることから、当該非粘着領域ＮＡ5により内側パッキン用粘着材２５への水分の侵入が防止されて、内側パッキン１５とリモートコントローラ本体１０との間の水密性が高い信頼性の下に保たれる。同様に、仮に外側パッキン用第２粘着材２８が吸湿しても、非粘着領域ＮＡ6（図５参照）が壁面ＷＳに密着していることから、当該非粘着領域ＮＡ6により内側パッキン１５と壁面ＷＳとの間への水の侵入が防止されて、内側パッキン１５と壁面ＷＳとの間の水密性が高い信頼性の下に保たれる。これらの結果として、仮に各粘着材２５，２７，２８として吸湿性を有する安価なものを用いたとしても、リモートコントローラ３０Ｂと壁面ＷＳとの間の水密性を高い信頼性の下に保つことができる。
【００３９】
したがって、たとえシャワー等で飛散した水がリモートコントローラ３０Ｂに掛かっても、各通信用リード線５ａ，５ｂと前述の信号線との接続部にまで水が侵入してしまうことが長期に亘って防止され、上記の接続部に水が侵入することに起因する誤作動や故障等の不具合の発生が抑えられる。粘着材の使用量が抑えられるので、原材料の減量化にもつながる。
【００４０】
以上、本発明のリモートコントローラについて実施の形態を挙げて説明したが、前述のように、本発明は上記の形態に限定されるものではない。本発明のリモートコントローラは、パッキンやリモートコントローラ本体を所望の被取付け面に仮固定するための粘着材の配設パターンに最大の特徴を有するものであり、リモートコントローラ本体の構成は、操作対象の電子機器に有線接続するための配線（リード線）が引き出されてさえいれば、適宜変更可能である。同様に、パッキンの形状は、上記の配線（リード線）を通すための孔が形成されてさえいれば、適宜変更可能である。
【００４１】
粘着材の配設パターンも、パッキンの数に応じて種々選定可能である。例えばパッキンを１個のみ備えたリモートコントローラでは、当該パッキンとリモートコントローラ本体との間、および当該パッキンと被取付け面との間の少なくとも一方に所定のパターン、すなわちパッキンのシール面に上記の孔を取り囲む形状の非粘着領域が残るパターンで設けられればよい。
【００４２】
実施の形態２での内側パッキン１５（図４および図５参照）におけるように、上記の孔を有するパッキンでの１つのシール面全体を非粘着領域としてもよい。また、パッキンでの１つのシール面に粘着領域と非粘着領域とが形成されるように接合材を設ける場合には、非粘着領域が粘着領域よりも面内方向内側に形成されるように接合材を設けてもよいし、粘着領域が非粘着領域よりも面内方向内側に形成されるように接合材を設けてもよい。粘着材は、パッキンのシール面に予め設けることもできるし、リモートコントローラ本体の裏面や被取付け面に予め設けることもできる。粘着材の表面に離型シートを貼っておけば、使用に供するまでの扱いが容易になる。
【００４３】
配線を通すための孔を有する内側パッキンと、該内側パッキンを取り囲むように配置される外側パッキンとを備えたリモートコントローラでは、内側パッキンと外側パッキンとを１つのパッキンとみなしたときに、該パッキンとリモートコントローラ本体との間、および当該パッキンと被取付け面との間の少なくとも一方に、上記の孔を取り囲む形状の非粘着領域が残るようにして粘着材が設けられればよい。
【００４４】
例えば、内側パッキンでのリモートコントローラ本体側および被取付け面側それぞれのシール面全体に粘着材を設ける一方で、外側パッキンでのリモートコントローラ本体側および被取付け面側それぞれのシール面に上記の非粘着領域が残るように粘着材を設けてもよい。また、内側パッキンでは、リモートコントローラ本体側および被取付け面側のうちのうちの一方の側（以下、「第１の側」という）のシール面全体が非粘着領域として残る一方で、他方の側（以下、「第２の側」という）のシール面全体が粘着領域となり、外側パッキンでは、リモートコントローラ本体側および被取付け面側のうちのうちの上記第２の側のシール面全体が粘着領域となる一方で、上記第１の側のシール面全体が非粘着領域として残るように、粘着材を設けてもよい。
【００４５】
本発明のリモートコントローラは、給湯機のリモートコントローラに限らず、被取付け面との間を水密に保つことが望まれるリモートコントローラであればよく、操作対象の電子機器の種類は問わない。本発明のリモートコントローラについては、上述した以外にも様々な変形、装飾、組み合わせ等が可能である。
【産業上の利用可能性】
【００４６】
本発明のリモートコントローラは、被取付け面との間を水密に保つことが望まれる種々の用途に適用可能である。
【図面の簡単な説明】
【００４７】
【図１】本発明のリモートコントローラの一例を概略的に示す分解斜視図である。
【図２】図１に示したリモートコントローラを概略的に示す裏面図である。
【図３】図１および図２に示したリモートコントローラの壁面取付け状態を概略的に示す一部切欠き断面図である。
【図４】本発明のリモートコントローラの他の例を概略的に示す分解斜視図である。
【図５】図４に示したリモートコントローラを概略的に示す裏面図である。
【図６】図４および図５に示したリモートコントローラの壁面取付け状態を概略的に示す一部切欠き断面図である。
【符号の説明】
【００４８】
５ａ，５ｂ  リード線
１０  リモートコントローラ本体
１３  パッキン
１３ａ  孔
１５  内側パッキン
１７  外側パッキン
２１  第１粘着材
２２  第２粘着材
２５  内側パッキン用粘着材
２７  外側パッキン用第１粘着材
２８  外側パッキン用第２粘着材
３０Ａ，３０Ｂ  リモートコントローラ
ＮＡ1，ＮＡ2，ＮＡ5，ＮＡ6  非粘着領域
ＢＷ  浴室の壁
ＷＳ  壁面（被取付け面）
【図１】
2010148069.tif 000003
【図２】
2010148069.tif 000004
【図３】
2010148069.tif 000005
【図４】
2010148069.tif 000006
【図５】
2010148069.tif 000007
【図６】
2010148069.tif 000008